(57)【要約】【課題】本発明は雄型バー上に雌受枠を留置するための保持力を簡単に調節可能な、雄型バーに義歯を固定する装置を提供することを目的とする。【解決手段】本発明による雄型バーに義歯を固定する装置は、義歯に接合可能の雌受枠（１０）と、雌受枠に挿入可能で、雌受枠を雄型バーに装着した際に雄型バー上に延在する少なくとも二つのインサート（２０）とを有する。【選択図】図１６
2008000606.tif 000002
【特許請求の範囲】
【請求項１】
義歯に接合可能な雌受枠を有する雄型バーに義歯を固定する装置において、
前記雄型バーに雌受枠を保持する保持力を調節するために、前記装置は、前記雌受枠（１０,１０’、１０”,１０”’）に挿入可能で、該雌受枠（１０,１０’、１０”,１０”’）が雄型バー（３０，３０’）へ取付けられた際に該雄型バーの上に延在する少なくとも二つのインサート（２０，２０’，２０”,２０”’）を有することを特徴とする装置。
【請求項２】
前記雌受枠（１０,１０’、１０”,１０”’）は、一体形であり、複数の隣接する略同一の基礎受枠要素を含み、インサート（２０，２０’，２０”,２０”’）が該基礎受枠要素のいずれにも挿入可能である請求項１に記載の装置。
【請求項３】
前記雌受枠（１０,１０’、１０”,１０”’）および前記インサート（２０，２０’，２０”,２０”’）が、雌受枠内での該インサートの位置を決める位置決め手段（１７，２７，１７’，２７’）を有し、該雌受枠の位置決め手段（１７，１７’）は、好ましくは略一定の間隔で該雌受枠上に配置されている請求項１又は２に記載の装置。
【請求項４】
前記位置決め手段が、凹所（１７，１７’）および突起（２７，２７’）とを有し、前記各インサート（２０，２０’，２０”,２０”’）が前記雌受枠（１０,１０’、１０”,１０”’）に挿入された際に前記少なくとも一つの突起（２７，２７’）は、前記凹所（１７，１７’）と係合する請求項３に記載の装置。
【請求項５】
前記インサート（２０，２０’，２０”,２０”’）の長さは、これらインサートが前記雌受枠（１０,１０’、１０”,１０”’）の二箇所の隣接位置に挿入された際にスペース（ｓ）が形成されるように選定されている請求項３又は４に記載の装置。
【請求項６】
前記雌受枠（１０,１０’、１０”,１０”’）には、略一定の間隔でマーク（１３，１４）が設けられている請求項１から５の何れか一項に記載の装置。
【請求項７】
前記マークは、切込み（１３）、溝および／または刻印である請求項６に記載の装置。
【請求項８】
前記雌受枠（１０,１０’、１０”,１０”’）は、カットオフホイール（３５）により短く切断される際の位置決めとなり、且つ、切断作業時該カットオフホイールのためのガイドの作用を果たす切込み（１３）を有する請求項１から７の何れか一項に記載の装置。
【請求項９】
前記インサート（２０，２０’，２０”,２０”’）および／または前記雌受枠（１０,１０’、１０”,１０”’）は、ポリエーテルエーテルケトン（ＰＥＥＫ）あるいはポリオキシメチレン（ＰＯＭ）を含むかあるいはポリエーテルエーテルケトン（ＰＥＥＫ）あるいはポリオキシメチレン（ＰＯＭ）製である請求項１から８の何れか一項に記載の装置。
【請求項１０】
前記雌受枠（１０,１０’、１０”,１０”’）は、少なくとも二つの長手方向溝（１６，１６’，１６”）を有し、各インサート（２０，２０’，２０”,２０”’）は、該長手方向溝に係合するための長手方向翼（２６，２６’，２６”）を有する請求項１から９の何れか一項に記載の装置。
【請求項１１】
前記雄型バー（３０，３０’）に装着された前記雌受枠（１０,１０’、１０”,１０”’）は、撤去方向（３３）に除去可能であり、各長手方向溝（１６，１６’，１６”）の断面は、
第１部分（１６ａ，１６’ａ，１６”ａ）、
該第１部分（１６ａ，１６’ａ，１６”ａ）に隣接し、該第１部分（１６ａ，１６’ａ，１６”ａ）よりも前記雌受枠のかみ合い側（１１）により近く、前記撤去方向と平行な第２部分（１６ｂ，１６’ｂ）ならびに
該第２部分に隣接する第３部分（１６ｃ，１６’ｃ）
を有し、
該第２部分と第３部分との間の角度（α，α’）は、９０度と１８０度の間の範囲、好ましくは、１２５度から１７０度の範囲にある請求項１０に記載の装置。
【請求項１２】
前記雌受枠（１０,１０’、１０”,１０”’）を成型するためおよび／または該雌受枠を短くするために、前記インサート（２０，２０’，２０”,２０”’）と略同じ形状で、かつ略同じサイズかこれより大きい寸法の補助部分をさらに含む請求項１から１１の何れか一項に記載の装置。
【発明の詳細な説明】
【技術分野】
【０００１】
本発明は、特許請求の範囲の請求項１の前段に記載の雄形バーに義歯を固着するための装置に関する。
【背景技術】
【０００２】
上記の装置は、DE29 45 489A1に開示されている。雌受枠を雄形バーへ圧力嵌めによって結合するために、ゴム弾性材料が雌受枠の二本の長手方向溝に埋め込むようにして設けられる。ゴム弾性材料の形状およびサイズは、予め決定しておく。義歯に固着するべく、雌受枠を幾何学的な理由で短くしなければならないならば、雄形部分に雌受枠を保持するための保持力を変更することとなる。上記開示の装置では、この保持力を変更することができない。
【０００３】
EP473 933A1に弾性バネが取り付けられた雄形バーへの結合が開示されている。この装置においても、バネ部材の形状およびサイズは予め決められており、後で保持力を調節することができない。
【０００４】
さらには、模型成型のための装置が市販されているが、各摩擦力をバーに作用する種々のプラスティックインサートの選択を要する。義歯の骨格を成型する際に、成型後の義歯の骨格に挿入しようとするプラスティックインサートのための凹所が設けられる。この装置においては、各成型を個別に行なう必要があり、製造に労力を要し、コストがかかるので不利である。さらに、挿入されたプラスティックインサートが保持力を確定することになる。もし保持力を変更しようとすれば、プラスティックインサートを別のものと変更する必要がある。後の保持力の調節は、限定的な範囲でしか行うことができない。
【発明の開示】
【課題を解決するための手段】
【０００５】
この先行技術の技術背景に鑑みて、本発明の一目的は、上述した種類の装置を提供することであり、この装置により、雌受枠を雄形バーに維持させる保持力が簡単に調節可能となる。
【０００６】
以上の装置は、請求項１に記載の装置で達成される。下記の請求項は、好適実施例に関する。
【０００７】
請求項１によれば、雌受枠に挿入可能の少なくとも二つのインサートが設けられる。これにより雌受枠に適宜の数のインサートを挿入することにより保持力が簡単に調節可能である。
【０００８】
本発明を以下に例示的実施例の形で添付図を参照して詳細に説明する。
【実施例】
【０００９】
（第１の例示的実施例）
図１から５は、例えば重合剤により義歯に固定されたバー状の雄部に装着可能の雌受枠１０を異なる方向から示している。
【００１０】
雌受枠１０は、１０ｍｍ以下あるいは５ｍｍ以下、すなわち例えば、３．５ｍｍに等しい所定長さＬの基礎受枠素子で構成される。雌受枠１０は、複数の近接した基礎受枠素子を含み、真っ直ぐの一体のバー状の受台を構成している。雌受枠１０の全長は、カットオフホィールで一部を切断することにより調節可能である。
【００１１】
雌受枠１０の各基礎受枠素子は、二つの側壁１２を設けたカバープレート１１を有する。二つの側壁１２は、ほぼ鏡面対称の形状である。
【００１２】
カバープレート１１は、その長手方向縁部に設けた切込み１３の形状のマークを定間隔で設けられている。切込み１３は、雌受枠１０を短くすることができる位置を示すものであり、また雌受枠１０の切断時カットホィールのガイドとなるものである。各切込み１３の幅ｂは、雌受枠１０を短くする切断を考慮して選定される。例えば、幅ｂは、カットホイールの厚さに相当するものであっても良い。このため雌受枠１０の長さは、Ｎ＊Ｌ＋（Ｎ−１）＊ｂに等しく、ここでＮは、基礎受枠素子の数である（図３参照）。図１および３に図示のように、切込み１３は、カバープレート１１の上側から下側までにわたりテーパとなった縁部により限定されている。
切込み１３の代わりにあるいはこれと共に各基礎受枠素子に溝の形状のマークを付しても良い。
【００１３】
雌受枠１０には、一定の間隔で凹刻１４をカバープレート１１の外面側および／もしくは内面側に随意で設けることもできる。図１および図３に図示のように、凹刻１４は、単なる記号として矩形で示されている。しかしながら、例えば、シンボルとしてのロゴや刻印などの所望の形状として良く、ミリングやレーザなどで凹刻するなどの従来の方法で加工できる。凹刻１４は、所与の情報を、すなわち例えば、商品の製造元および／もしくはその名称などを記入した銘版とすることができる。
【００１４】
各側壁１２がカバープレート１１に接続されている領域には、保持溝１５が設けられている。これにより、カバープレート１１の長手方向縁部は、側壁１２から少し突出している。よって、雌受枠１０は、義歯に埋め込まれる際にしっかり保持されることができる。
【００１５】
各側壁１２の内側は、長手方向溝１６が設けられている。各基礎受枠素子は、カバープレート１１の内側に凹所１７を有する。
【００１６】
雌受枠１０の各基礎受枠素子は、インサート２０を受け入れる場所となる。図６から９は、このようなインサート２０を異なる図式で図示している。
【００１７】
図６に図示するように、インサート２０は、Ｕ字状の横断面形状を有するものである。インサート２０の外側は、基礎受枠素子の内側と実質的に相補形状となっている。詳細には、インサート２０の各外側は、段状となっていて、これにより長手方向翼部２６が形成される。インサート２０のかみ合い側には、突起２７が設けられている。インサート２０を各基礎受枠素子へ挿入時、長手方向翼部２６は、雌受枠１０の長手方向溝１６に係合し、突起２７は、凹所１７に係合することになる。
【００１８】
長手方向溝１６と長手方向翼部２６の形状は、各義歯の雌受枠を雄形バーから撤去方向に引き抜く際に、雌受枠１０内にインサート２０がしっかりと保持されるように選定する。
【００１９】
雌受枠１０を拡大して正面から図示する図１０を参照して、撤去方向は、矢印２９で図示されている。各長手方向溝１６は、その横断面において、撤去方向２９にほぼ垂直の第１部分１６ａおよび隣接する第２部分１６ｂを有する。第２部分１６ｂは、カバープレート１１に近接し、すなわち、第１部分１６ａよりも雌受枠１０の噛み合い側に近くなっている。第２部分１６ｂは、撤去方向２９にほぼ平行であり、またこれには、第３部分１６ｃが隣接する。第２部分１６ｂと第３部分１６ｃとの間の角度αは、９０度より大きく１８０度より小さい。角度αは、１２５度から１７０度の範囲が好適である。第３部分１６ｃは、第４部分１８に続き、第４部分は、雌受枠１０のＵ字状の内面と隣接する。部分１６ａ，１６ｂ，１６ｃは、ほぼ真っ直ぐに並べられている。
【００２０】
側壁１２は、第２部分１６ｂの領域で最も薄い部分を有している。この部分１６ｂと雌受枠１０の基底端との間の距離は、可能な限り短くして、雌受枠１０に負荷がかかる際に最も薄い部分に作用するレバーアームを最小にする必要がある。さらに、長手方向溝１６の選定形状は、側壁１２の最も薄い部分を徐々に第４部分１８の厚い壁に接合させて雌受枠１０の残余の部分に剛体的に接合するようになっている。テストの結果、雌受枠１０が破壊を生ずることなく高負荷に耐えうることが証明されている。長手方向溝が矩形あるいは半円の横断面を有する雌受枠１０は、抵抗力が低く側壁が破損し易いことが判明している。
【００２１】
図１１に、インサート２０を設けた雌受枠１０を取付け可能な雄形バー３０を図示する。図１４にも図示のように、雄形バー３０は、Ｕ字状の横断面を有し、その両側面は、互いに平行である。このような雄形バーは、ドルダーバー(Dolder bar)として知られている。雌受枠１０およびインサート２０は、また既存の雄形バーと適合可能に設計されている。
【００２２】
図１２および図１３は、４つのインサート２０を挿入した雌受枠１０を図示している。各インサート２０の突起２７は、各基礎受枠要素の凹所１７に係合されている。突起２７および凹所１７は、各インサート２０の雌受枠１０における位置を決定するように設計されている。雌受枠１０に挿入後、位置決め手段１７、２７は、インサート３０が雌受枠１０に沿って動くのを防止している。
【００２３】
図１４に示すように、インサート２０は、雌受枠１０と雄形バー３０との間に配置される。インサート２０は、かみ合わせ側で閉止され、雄形バー３０上に延在する。
【００２４】
インサート２０の長さは、基礎受枠要素の長さＬにほぼ一致する。従って、雌受枠１０に挿入した互いに隣接するインサート２０の間に間隙ｓが生じ、この間隙ｓは、幅ｂとほぼ一致する。
【００２５】
以下で、雌受枠１０を雄形バー３０に保持する力を「保持力」と称する。また、バー３０から雌受枠１０を引き抜くために要する力を、「撤去力」と称する。撤去力と保持力とは等しい大きさであり、反対方向に働く。
ここに示す例では、雄形バー３０に装着した雌受枠１０は、インサート２０と雄形バー３０との間に作用する摩擦により主に保持される。摩擦すなわち保持力と撤去力は、挿入するインサート２０の数およびインサート２０が挿入される位置を選定することにより簡単に調節可能である。図１５に図示の例では、唯一のインサート２０が最外部の基礎受枠要素に挿入されている。図１６に図示する各インサート２０が、二つの外側基礎受枠要素にそれぞれ挿入されている。
【００２６】
随意に、厚さなどが異なる異種のインサート２０を設けて、保持力と撤去力をさらに調節する可能性を与えるようにしても良い。
【００２７】
雌受枠１０およびインサート２０は、予め製造しておくことができ、口腔抵抗性材料製、例えば、チタニウム、ポリエーテルエーテルケトン（ＰＥＥＫ）やポリオキシメチレン（ＰＯＭ）などの剛性材料製とする。
【００２８】
インサート２０は、弾性材料製であるので雌受枠１０に挿入可能である。インサート２０は、プラスティック製である必要はなく、プラスティックで被覆された金属材料製であっても良い。
【００２９】
雌受枠１０を、長いバー材として製造し、これを切断して所望の長さの雌受枠１０を得るようにしても良い。この目的のため、図１７に示すような通常使用されるカットオフホイール３５を使用することができる。切断作業時、カットオフホイール３５は、切込み１３によりガイドされる。切断前に各インサート２０を切断しようとする線（分離線）に隣接させて二つの基礎受枠要素に挿入可能である。これにより、インサート２０の二つの前面がカットオフホイール用のさらなるガイド面となる。二つの基礎受枠素子に挿入される二つの別個の補助部分を設けるようにしても良い。補助部分は、インサート２０と同じ外面を有するが、より硬い材料など、別の材料から成る。
【００３０】
インサート２０と同じ外形の長いバーを製造し、これからユーザが各インサート２０を切り取るようにしても良い。
【００３１】
長い雌受枠１０に加えて、各基礎受枠要素として製造された雌受枠をさらに設けるようにすることができる（図１８および図１９を参照）。この基礎受け枠要素をさらに分離する必要はなく、義歯に直接嵌め込むようにしても良い。
（第２の例示的実施例）
【００３２】
図２０から図２４は、雌受枠１０’の第２の例示的実施例を図示し、図２５から図２８は、この雌受枠１０’に用いるインサート２０’を図示する。第１の例示的実施例に相当する部分は、同一の参照番号が付されている。
【００３３】
第２の例示的実施例は、第１の例示的実施例と比較して、雌受枠１０’およびインサート２０’がよりコンパクトな形状となり、それらの各横断面形状は、図２９に図示のように、丸棒３０’の形状の雄形部に装着できるように選定されている。
【００３４】
第１実施例のように、雌受枠１０’は、一連の基礎受枠を含み、各基礎受枠はそれぞれ長さＬで弾性インサート２０’が挿入可能である。
【００３５】
特に図２５で明らかなように、インサート２０’には、各側面に段が付けられていて長手方向の翼２６’を形成し、またそのかみ合わせ側に突起２７が設けられている。インサート２０’内面は、実質的に円状の横断面形であり、そのアーク長さは円の円周の半分の長さより長くなっている。
【００３６】
図３０に拡大して明瞭に示すように、二つの側壁１２’は、第１実施例の雌受枠１０の側壁１２より短くなっている。側壁１２’には、長手方向溝１６’がそれぞれ設けられている。長手方向溝１６’の横断面形状は、３つの部分１６’ａ、１６’ｂ、１６’ｃから構成され、第１部分１６’ａは、撤去方向２９にほぼ垂直であり、第２部分１６’ｂは、撤去方向２９にほぼ平行であり、第３部分１６’ｃは、第２部分１６’ｂに対して角度α’をもって配置されている。この角度α’は、９０度より大きく１８０度より小さい、好ましくは、１２５度から１７０度の範囲の角度である。部分１６’ａ、１６’ｂ、１６’ｃは、ほぼ真っ直ぐである。第１実施例と同様に、長手方向溝１６’は、雌受枠１０’が高負荷に耐えられるような形状となっている。
【００３７】
図３１から図３３を参照して、インサート２０’の長手方向翼２６’は、それぞれ対応の長手方向溝１６’に係合すると共に、突起２７は、凹所１７に係合する。
【００３８】
雌受枠１０’へのインサート２０’の挿入は、部分１６’ａと雌受枠１０’の曲面部との間の距離がインサート２０’の相応の寸法より少し大きくすることにより容易となる。この結果、雌受枠１０’とインサート２０’との間に隙間が生ずるが、この隙間は、雌受枠を雄形バー３０’に装着した際のインサート２０’の張力を考慮すると隙間はゼロとなる。
【００３９】
図３２に図示のように、インサート２０’は、バー３０’上に延在し、雌受枠１０’の基底縁部を超えて延びている。雌受枠１０’は、摩擦および保持力の双方を有する。すなわち、バー３０’上に摩擦力と選定された形状による相乗効果により留置されている。
【００４０】
雌受枠１０’およびインサート２０’の製造、材料の選定および適用可能性は、第１の例示的実施例と同様である。
【００４１】
また図３４および図３５に図示するように、個々の雌受枠１０’を、インサート２０’を該雌受枠１０’内へ挿入可能なように、且つ基礎受枠要素に対応するように設けても良い。
（第３の例示的実施例）
【００４２】
図３６から図３８は、雌受枠１０”の第３実施例を図示し、図３９から図４２は、相当するインサート２０”を図示する。第１の例示的実施例に相当する部分は、同じ参照番号を付する。
【００４３】
第３の例示的実施例は、第１の例示的実施例と同様であるが、位置決め手段１７’、２７’の設計が相違している。
【００４４】
図３６から図３８を参照して、雌受枠１０” は、両側壁に定間隔でほぼ撤去方向２９に延在して設けた凹所１７’を有している。凹所１７’は、雌受枠１０”の基底端からカバープレート１１方向に延在する溝により形成される。本実施例では、凹所１７’は、長手方向溝１６を横切っている。
【００４５】
図３９から図４２を参照して、インサート２０”は、その両長手方向外側に、撤去方向に延在する突起２７’がそれぞれ設けられている。本実施例では、突起２７’は、長手方向翼２６を横切っている。
【００４６】
雌受枠１０”にインサート２０”を挿入する際に、各突起２７’は、雌受枠１０”の凹所１７’にそれぞれ係合する（図４３および図４４を参照）。
【００４７】
雌受枠１０”の側壁１２”に凹所１７’を配置しているので、ユーザは、凹所１７’を良く確認でき、雌受枠１０”の所望の位置にインサート２０”を簡単に挿入可能である。さらに、インサート２０”は、位置決め手段１７’、２７’により雌受枠１０”内の定位置に安全に保持される。
【００４８】
特に図４４を参照して、突起２７’は、雌受枠１０”の基底端まで延びていない。よって、外部からアクセス可能なスペースが雌受枠１０”とインサート２０”との間に維持される。適当な工具をこのスペースに係合させてインサート２０”を簡単に雌受枠１０”から除去することができる。
（第４の例示的実施例）
【００４９】
図４５は、雌受枠１０”’の第４の例示的実施例を示し、図４６から図５０に、この雌受枠１０”’に対応するインサート２０”’を図示する。第１の例示的実施例の部分と同じ部分には同じ参照番号を付する。
【００５０】
第４の例示的実施例は、第２の例示的実施例とほぼ同様であり、長手方向溝１６”、長手方向翼２６”ならびに位置決め手段１７’、２７’の設計が異なっている。
【００５１】
図４５を参照して、長手方向溝１６”の横断面は、３つの部分１６”ａ、１６’ｂ，１６’ｃで構成される。第２の例示的実施例と比較するに、第１部分１６”ａは、撤去方向２９に垂直でなく、むしろ垂直から僅かに傾いている。部分１６”ａ、１６’ｂは、９０度より大きく１８０度より小さい角度βとなるように配置されており、好ましくは、１１０度から１６０度の範囲の角度となっている。
【００５２】
図４６に図示のように、インサート２０”’の長手方向翼２６”は、それぞれ面取りされた下側を有する。インサート２０”’が雌受枠１０”’に挿入された際に（図５２参照）、この面取りされた下側は、部分１６”ａ上に安置される。部分１６”ａと長手方向翼２６”が傾斜して配置されているので、雌受枠１０”’にインサート２０”’を挿入することが簡単となる。
【００５３】
図４６から図５０を参照して、インサート２０”’は、その両長手方向外面に第３の例示的実施例で説明したと同様の突起２７’がそれぞれ設けられている。
【００５４】
インサート２０”’は、内部に凹所２８が設けられている。もし補助工具を雌受枠１０”’にインサート２０”’を挿入する際に使用するのであれば、凹所２８は、補助工具でインサート２０”’を確実に把持することを可能とする。
【００５５】
雌受枠１０”’の所望の位置にインサート２０”’を挿入して維持するために、雌受枠１０”’の両側壁１２”’に第３の実施例で説明したと同じ凹所１７’がそれぞれ設けられている。図５１および図５４は、４つのインサート２０”’を挿入した雌受枠１０”’の例を図示している。これらの図から明らかなように、各突起２７’と長手方向翼２６”は、凹所１７’と長手方向溝１６’にそれぞれ係合する。
【００５６】
上述した例示的実施例は、とりわけ以下の作用効果を呈する。
【００５７】
−保持力および撤去力は、インサート付の基礎受枠素子を適宜に設けるかあるいは取り除いた状態にすることなどによる様々な方法で調節可能である。
【００５８】
−同じインサートを雌受枠の各基礎受枠要素に挿入可能であり、かつ次いで除去することも必要に応じて可能である。雌受枠を短くしたければ、同じインサートを修正することなく使用可能である。
【００５９】
−雌受枠は、予め機械加工により製造可能であり、義歯を比較的簡単で廉価な方法で雄形バーに取り付ける手段を義歯に設けることができる。雌受枠は、短くすることにより、所与の幾何学的状況に合わせることが可能である。
【００６０】
−雌受枠に切込みを設けることにより、該切込みが、カットオフホイールにより雌受枠を短くするための部分を構成すると共に、切断作業時カットオフホイールをガイドする機能を簡単に提供することができる。
【００６１】
雌受枠１０、１０’，１０”，１０”’の内部に定置して長手方向の変位を防止するための少なくとも一つの突起２７、２７’を有するインサート２０、２０’、２０”、２０”’を設けることにより、別の雌受枠例えば義歯技工師が製作した受枠にも適用可能となる。この目的でインサート２０、２０’、２０”、２０”’は、複製を作成するためにバー３０、３０’に直接取付けられる。この複製作成作業の際、模型成形のための蝋型成型が行われる。模型成形あるいは雌受枠にはそれぞれ、インサート２０、２０’、２０”、２０”’の突起２７、２７’が挿入されて係合する凹所１７、１７’が設けられ、これにより、インサート２０、２０’、２０”、２０”’をどの位置にも確実に配置固定可能とし、後者のずれを防止できる。
【００６２】
雌受枠１０、１０’，１０”，１０”’ とインサート２０、２０’、２０”、２０”’の横断面形状は、従来の全ての雄形バーに適合可能である。すなわち、平行な壁を有する断面、玉子形断面などを有する雄形バーに適合可能である。従って、雌受枠およびバーは、双方でバーの軸の回りに雌受枠が回転可能なバー結合を構成するか、あるいは、雌受枠が剛的にバーに結合されるバー結合を構成することができる。
【００６３】
もちろん、長手方向溝１６、１６’と長手方向翼２６、２６’、２６”の手段による保持機構は、雌受枠１０、１０’，１０”，１０”’に長手方向翼２６、２６’、２６”を設け、インサート２０、２０’、２０”、２０”’に長手方向溝１６、１６’を設けることによっても実現可能である。
同様に、位置決め手段１７、１７’と位置決め手段２７、２７’を相補的な関係の構成として、雌受枠１０、１０’，１０”，１０”’に、インサート２０、２０’、２０”、２０”’の凹所にそれぞれ係合可能な突起を、ほぼ一定の間隔で設けるようにすることもできる。
【図面の簡単な説明】
【００６４】
【図１】本発明による装置の雌受枠の第１の例示的実施例を図示する鳥瞰斜視図。
【図２】図１の雌受枠を図示する上仰斜視図。
【図３】図１の雌受枠を図示する上面図。
【図４】図１の雌受枠を図示する図５のＩＶ−ＩＶ線に沿う側方断面図。
【図５】図１の雌受枠を図示する底面図。
【図６】本発明による装置のインサートの第１の例示的実施例を図示する正面図。
【図７】図６のインサートを図示する側面図。
【図８】図６のインサートを図示する上面図。
【図９】図６のインサートを図示する斜視図。
【図１０】図１の雌受枠を図示する正面図
【図１１】図６に図示のインサートを設けた図１に図示の雌受枠を受けるための雄形バーを図示する斜視図。
【図１２】６に図示のインサートを４つ挿入した図１の雌受枠を図示する上仰斜視図。
【図１３】雄形バーは不図示の、図１２の装置を示す図１４に図示のＸＩＩＩ-ＸＩＩＩ線に沿う断面図。
【図１４】図１１に図示の雄形バーに装着された図１２の装置を図示する正面図。
【図１５】図６に図示のインサートが挿入された図１の雌受枠を図示する上仰斜視図。
【図１６】図６に図示のインサートを二つ挿入した図１の雌受枠を図示する上仰斜視図。
【図１７】図１の雌受枠をカットオフホィールと共に示す斜視図。
【図１８】図１の雌受枠の基礎受枠素子を図示する鳥瞰斜視図。
【図１９】図１８の基礎受枠素子を図示する上仰斜視図。
【図２０】本発明による装置の雌受枠の第２例示的実施例を図示する鳥瞰斜視図。
【図２１】図２０の雌受枠を図示する上仰斜視図。
【図２２】図２０の雌受枠を図示する上面図。
【図２３】図２０の雌受枠の図２４に図示のＸＸＩＩＩ−ＸＸＩＩＩ線に沿う断面図。
【図２４】図２０の雌受枠を図示する底面図。
【図２５】本発明による装置のインサートの第２例示的実施例を図示する正面図。
【図２６】図２５のインサートを図示する側面図。
【図２７】図２５のインサートを図示する上面図。
【図２８】図２５のインサートを図示する斜視図。
【図２９】図２５のインサートを設けた図２０の雌受枠を受けるための雄形バーを図示する斜視図。
【図３０】図２０の雌受枠を図示する正面図。
【図３１】図２５のインサートを挿入した図２０の雌受枠を図示する斜視図。
【図３２】図２９の雄形バーに装着した図３１の装置を図示する正面図。
【図３３】雄形バーが不図示の、図３１の装置を図示する図３２のＸＸＸＩＩＩ−ＸＸＸＩＩＩ線に沿う側断面図。
【図３４】図２０の雌受枠の基礎受枠素子を図示する上仰斜視図。
【図３５】図３４の基礎受枠素子を図示する鳥瞰斜視図。
【図３６】本発明による装置の雌受枠の第３の例示的実施例を図示する図３７のＸＸＸＶＩ−ＸＸＸＶＩ線に沿う断面図。
【図３７】図３６の雌受枠を図示する底面図。
【図３８】図３６の雌受枠を図示する上仰斜視図。
【図３９】本発明による装置のインサートの第３の例示的実施例を図示する正面図。
【図４０】図３９のインサートを図示する側面図。
【図４１】図３９のインサートを図示する上面図。
【図４２】図３９のインサートを図示する斜視図。
【図４３】図３９のインサートを二つ挿入した図３６の雌受枠を図示する上仰斜視図。
【図４４】図４３の装置を図示する正面断面図。
【図４５】本発明による装置の雌受枠の第４例示的実施例を図示する正面図。
【図４６】本発明による装置のインサートの第４の例示的実施例を図示する正面図。
【図４７】図４６のインサートを図示する側面図。
【図４８】図４６のインサートを図示する底面図。
【図４９】図４６のインサートを図示する上仰斜視図。
【図５０】図４６に図示のインサートを図示する鳥瞰斜視図。
【図５１】図４６の４つのインサートを挿入した図４５の雌受枠を図示する上仰斜視図。
【図５２】図５１の装置を図示する正面図。
【図５３】図５１の装置を図示する図５２のＬＩＩＩ−ＬＩＩＩ線に沿う側方断面図。
【図５４】図５１の装置を図示する上仰斜視図
【図１】
2008000606.tif 000003
【図２】
2008000606.tif 000004
【図３】
2008000606.tif 000005
【図４】
2008000606.tif 000006
【図５】
2008000606.tif 000007
【図６】
2008000606.tif 000008
【図７】
2008000606.tif 000009
【図８】
2008000606.tif 000010
【図９】
2008000606.tif 000011
【図１０】
2008000606.tif 000012
【図１１】
2008000606.tif 000013
【図１２】
2008000606.tif 000014
【図１３】
2008000606.tif 000015
【図１４】
2008000606.tif 000016
【図１５】
2008000606.tif 000017
【図１６】
2008000606.tif 000018
【図１７】
2008000606.tif 000019
【図１８】
2008000606.tif 000020
【図１９】
2008000606.tif 000021
【図２０】
2008000606.tif 000022
【図２１】
2008000606.tif 000023
【図２２】
2008000606.tif 000024
【図２３】
2008000606.tif 000025
【図２４】
2008000606.tif 000026
【図２５】
2008000606.tif 000027
【図２６】
2008000606.tif 000028
【図２７】
2008000606.tif 000029
【図２８】
2008000606.tif 000030
【図２９】
2008000606.tif 000031
【図３０】
2008000606.tif 000032
【図３１】
2008000606.tif 000033
【図３２】
2008000606.tif 000034
【図３３】
2008000606.tif 000035
【図３４】
2008000606.tif 000036
【図３５】
2008000606.tif 000037
【図３６】
2008000606.tif 000038
【図３７】
2008000606.tif 000039
【図３８】
2008000606.tif 000040
【図３９】
2008000606.tif 000041
【図４０】
2008000606.tif 000042
【図４１】
2008000606.tif 000043
【図４２】
2008000606.tif 000044
【図４３】
2008000606.tif 000045
【図４４】
2008000606.tif 000046
【図４５】
2008000606.tif 000047
【図４６】
2008000606.tif 000048
【図４７】
2008000606.tif 000049
【図４８】
2008000606.tif 000050
【図４９】
2008000606.tif 000051
【図５０】
2008000606.tif 000052
【図５１】
2008000606.tif 000053
【図５２】
2008000606.tif 000054
【図５３】
2008000606.tif 000055
【図５４】
2008000606.tif 000056
【手続補正書】
【提出日】平成19年8月9日(2007.8.9)
【手続補正１】
【補正対象書類名】図面
【補正対象項目名】図５３
【補正方法】変更
【補正の内容】
【図５３】
2008000606.tif 000057